(57)【要約】【課題】  水上側成形部と水下側成形部の係合状態が、負圧作用時に、同時に発生する面接触による抑えによって強化されることで局部的な損壊および引き剥がれのない横葺屋根構造を提供する。【解決手段】  面板部２ａの水上側および水下側に相互に係合可能な成形部を形成した横葺外装材２を流れ方向に接続して敷設する横葺屋根構造において、水上側成形部２ｂは端部に支持面部２ｆを、水下側成形部２ｃは凹部２ｈを、前記敷設状態において、支持面部２ｆが凹部２ｈ内もしくは上方に位置するようにそれぞれ有し、負圧作用時に、支持面部２ｆが凹部２ｈ内に面接触する。【選択図】  図１
2007255047.tif 000002
【特許請求の範囲】
【請求項１】
面板部の水上側および水下側に相互に係合可能な成形部を形成した横葺外装材を流れ方向に接続して敷設する横葺屋根構造において、
水上側成形部は端部に支持面部を、水下側成形部は凹部を、前記敷設状態において、前記支持面部が凹部内もしくは上方に位置するようにそれぞれ有し、
負圧作用時に、支持面部が凹部内に面接触することを特徴とする横葺屋根構造。
【請求項２】
水下側成形部と水上側成形部の係合状態が、水下側成形部の係止部と水上側成形部の被係止部による係合部位と、凹部と当該凹部内の支持面部による係合・抜止部位との二重係合および抜止構造にしてあることを特徴とする請求項１記載の横葺屋根構造。
【請求項３】
被係止部が被抜止凹部を有し、この被抜止凹部に係止部の抜止鍔部が係止することで二重抜止構造にしてあることを特徴とする請求項１または２記載の横葺屋根構造。
【発明の詳細な説明】
【技術分野】
【０００１】
本発明は台風等の暴風対策が強化された横葺屋根構造に関する。
【背景技術】
【０００２】
特許文献１に記載されている「横葺外囲体」がある。この「横葺外囲体」は、水上側の主板（横葺屋根板）における上馳部と水下側の主体（横葺屋根板）における下馳部を吊子で支持してあるもので、詳しくは吊子における上馳支持部で水上側の主板の上馳部を支持し、下馳支持部で水下側の主体の下馳部を支持している。
すなわち、桁行き方向に長尺の主板をピース材である吊子で支持し、しかも、流れ方向の水上側の主板は上馳支持部で、水下側の主板は下馳支持部で、それぞれ個別に独立して支持するという点支持になっているものである。
このように、個々に独立して点で支持されているものでは、暴風に晒されて屋根面に強力な負圧作用が働いた場合、この負圧荷重はダイレクトに上馳部と下馳部に集中して負荷されるため、上馳部や下馳部における被支持部分が局部的に損壊して支持関係が失われてしまうことになる。そして、局部的な損壊が一箇所でも発生した場合には、当該横葺外装材はもとより、横葺屋根を形成している外装材全体が引き剥がされてしまうことにもなりかねない。
【特許文献１】特開２００１−３２９６６２
【発明の開示】
【発明が解決しようとする課題】
【０００３】
解決しようとする課題は、第１には、水上側成形部と水下側成形部の係合状態が、負圧作用時に、同時に発生する面接触による抑えによって強化されることで局部的な損壊および引き剥がれのない横葺屋根構造を、第２には、さらに、水上側成形部と水下側成形部の係合状態が、二重係合および抜止構造に強化されている横葺屋根構造を、第３には、さらに、水上側成形部と水下側成形部の係合状態が、二重抜止構造に強化されている横葺屋根構造を提供することにある。
【課題を解決するための手段】
【０００４】
本発明は前記した課題を達成するため、以下の構成にしたことを特徴とする。
１．面板部の水上側および水下側に相互に係合可能な成形部を形成した横葺外装材を流れ方向に接続して敷設する横葺屋根構造において、水上側成形部は端部に支持面部を、水下側成形部は凹部を、前記敷設状態において、前記支持面部が凹部内もしくは上方に位置するようにそれぞれ有し、負圧作用時に、支持面部が凹部内に面接触することを特徴とする。
２．前記した１において、水下側成形部と水上側成形部の係合状態が、水下側成形部の係止部と水上側成形部の被係止部による係合部位と、凹部と当該凹部内の支持面部による係合・抜止部位との二重係合および抜止構造にしてあることを特徴とする。
３．前記した１または２において、被係止部が被抜止凹部を有し、この被抜止凹部に係止部の抜止鍔部が係止することで二重抜止構造にしてあることを特徴とする。
本発明における横葺外装材は、下地に対して吊子によって固定されるものでも、ビス等によって直止めされるものであってもよく特に問わない。
水下側成形部における凹部とは、上方が開口する略横コ字状部分を指す。
支持面部と凹部の面接触は桁行き方向に連続して確保されるが、流れ方向には少なくとも１ヵ所以上の面接触があればよく、複数部分で面接触してもよいし、面接触と線あるいは点接触によるものでもよい。
横葺外装材は化粧鋼板等の公知の金属製のものが挙げられる。吊り子は金属あるいは強化プラスチック等からなるものでよく、横葺外装材を下地に固定するための構造、形状、材質のものであれば制限はない。
【発明の効果】
【０００５】
Ａ．請求項１により、水上側成形部と水下側成形部の係合状態は、横葺外装材への負圧作用時に同時に発生する凹部と支持面部による桁行き方向の連続した面接触の抑えによって負圧荷重の分散化をもたらすことで、局部的な損壊が起こらず十分な係合強度を有するものである。
したがって、台風等の暴風下でも水上側成形部と水下側成形部の係合状態が維持されるため、暴風地域を含めて広く採用できる。
Ｂ．請求項２により、さらに、水上側成形部と水下側成形部の係合状態が、二重係合および抜止構造に強化されている。
Ｃ．請求項３により、さらに、水上側成形部と水下側成形部の係合状態が、二重抜止構造に強化されている。
【発明を実施するための最良の形態】
【０００６】
図１には本発明の横葺屋根構造における実施の１形態を例示しており、下地１上には水下側の横葺屋根板２の水上側成形部２ｂと水上側の横葺屋根板２の水下側成形部２ｃが接続した状態に吊子４で下地１に取付けられて敷設されている。
横葺屋根板２は、桁行き方向に長尺の金属製のもので、裏面に断熱材３が貼設されている。この横葺屋根板２における面板部２ａの水上側の水上側成形部２ｂは、側縁を表面側に半円状に折り返して設けた被係止部２ｄと、被係止部２ｄから立ち上げた後に水下側へ折り下げて設けた被係止突部２ｅと、被係止突部２ｅから水下側にほぼ水平状に折り曲げた後に下方へ折り返して被係止部２ｄと対向状に設けた支持面部２ｆを有している。水上側成形部２ｂ端部の支持面部２ｆは、水上側よりも水下側が若干高い内向き傾斜状に形成してあり、水下側成形部２ｃが負圧作用を受けて浮き上がる際に凹部２ｈと面接触するように形成してある。また、支持面部２ｆは被係止部２ｄと対向している水上側の側縁を係止鍔部２ｇとし、水下側成形部２ｃが負圧作用を受けて浮き上がる際に被係止顎部２ｊと線接触して抜止めするように形成してある。
【０００７】
面板部２ａの水下側の水下側成形部２ｃは、側縁を裏面側に折り下げた後に水上側に折り曲げ且つ立ち上げて設けた凹部２ｈと、凹部２ｈから水上側へ折り曲げた後に下方に折り返して設けた係止部２ｉを有し、この係止部２ｉは被係止部２ｄに係合可能に形成してある。凹部２ｈは、水上側成形部２ｃが負圧作用を受けて浮き上がる際に支持面部２ｆに面接触するように形成してある。また、凹部２ｈは水上側の顎部を被係止顎部２ｊとしてあり、当該被係止顎部２ｊは、水下側成形部２ｃが負圧作用を受けて浮き上がる際に係止顎部２ｇに線接触して抜止めされるように形成してある。
【０００８】
かかる横葺屋根板２は、水下側の横葺屋根板２の水上側成形部２ｂにおける被係止部２ｄに水上側の横葺屋根板２の水下側成形部２ｃにおける係止部２ｉが係止し、凹部２ｈ内に支持面部２ｆが位置し、係止鍔部２ｇと被係止顎部２ｊが接触〜接近した係合状態に接続されており、同接続関係に、下地１にビス等の固定具５で固定された吊子４の保持部４ａにより被係止突部２ｅを保持されて下地１側に固定されていることで敷設されている。
そして、このような係合状態にある水下側の横葺屋根板２の水上側成形部２ｂと水上側の横葺屋根板２の水下側成形部２ｃは、係止部２ｉと被係止部２ｄによる係合部位と、凹部２ｈと支持面部２ｆおよび係止顎部２ｇと被係止顎部２ｊによる係合・抜止部位との二重係合および抜止構造を呈し、且つ、負圧作用時に凹部２ｈが支持面部２ｆに面接触して浮き上がりを抑えられる接続関係にしてある。
【０００９】
図２には本発明の横葺屋根構造における実施の他の１形態を例示しており、構成歯前記した図１の態様のものと基本的に同一であるため、共通している構成の説明は符号を準用して説明を省略し、相違する構成について説明する。
水上側成形部２ｂにおける支持面部２ｆは、被係止突部２ｅから水下側にほぼ水平状に折り曲げた後に下方へ折り下げ且つ水下側に斜め上向きに折り曲げて被係止部２ｄと相対的に設けてあり、この支持面部２ｆの傾斜角度は、水下側成形部２ｃが負圧作用を受けて浮き上がる際に凹部２ｈと面接触するようにしてある。係止鍔部２ｇは支持面部２ｆの水上側に形成してある。
そして、横葺屋根板２は、水下側の横葺屋根板２の水上側成形部２ｂにおける被係止部２ｄに水上側の横葺屋根板２の水下側成形部２ｃにおける係止部２ｉが係止し、凹部２ｈ内に支持面部２ｆが位置し、係止鍔部２ｇと被係止顎部２ｊが接触〜接近した係合状態に接続されており、同接続関係に、下地１にビス等の固定具５で固定された吊子４の保持部４ａにより被係止突部２ｅを保持されて下地１側に固定されていることで敷設されている。
このような係合状態にある水下側の横葺屋根板２の水上側成形部２ｂと水上側の横葺屋根板２の水下側成形部２ｃは、係止部２ｉと被係止部２ｄによる係合部位と、凹部２ｈと支持面部２ｆおよび係止顎部２ｇと被係止顎部２ｊによる係合・抜止部位との二重係合および抜止構造を呈し、且つ、負圧作用時に凹部２ｈが支持面部２ｆに面接触して浮き上がりを抑えられる接続関係にしてある。
【００１０】
図３には本発明の横葺屋根構造における実施の他の１形態を例示しており、構成歯前記した図１の態様のものと基本的に同一であるため、共通している構成の説明は符号を準用して説明を省略し、相違する構成について説明する。
水下側成形部２ｃにおける係止部２ｉは、凹部２ｈから水上側へ折り曲げた後に上方に折り返して設けてあり、被係止部２ｄに係合可能に形成してある。
そして、横葺屋根板２は、水下側の横葺屋根板２の水上側成形部２ｂにおける被係止部２ｄに水上側の横葺屋根板２の水下側成形部２ｃにおける係止部２ｉが係止し、凹部２ｈ内に支持面部２ｆが位置し、係止鍔部２ｇと被係止顎部２ｊが接触〜接近した係合状態に接続されており、同接続関係に、下地１にビス等の固定具５で固定された吊子４の保持部４ａにより被係止突部２ｅを保持されて下地１側に固定されていることで敷設されている。
このような係合状態にある水下側の横葺屋根板２の水上側成形部２ｂと水上側の横葺屋根板２の水下側成形部２ｃは、係止部２ｉと被係止部２ｄによる係合部位と、凹部２ｈと支持面部２ｆおよび係止顎部２ｇと被係止顎部２ｊによる係合・抜止部位との二重係合および抜止構造を呈し、且つ、負圧作用時に凹部２ｈが支持面部２ｆに面接触して浮き上がりを抑えられる接続関係にしてある。
【００１１】
図４には本発明の横葺屋根構造における実施の他の１形態を例示しており、構成歯前記した図１の態様のものと基本的に同一であるため、共通している構成の説明は符号を準用して説明を省略し、相違する構成について説明する。
水上側成形部２ｂにおける被係止部２ｄは、当該被係止部２ｄ内の底部分に被抜止凹部２ｋを有している。水下側成形部２ｃの係止部２ｉは、水下側の側縁を抜止鍔部２ｎとしてあり、この抜止鍔部２ｎが被抜止凹部２ｋの抜止顎部２ｍに当接することで抜止されるように形成してある。
そして、横葺屋根板２は、水下側の横葺屋根板２の水上側成形部２ｂにおける被係止部２ｄに水上側の横葺屋根板２の水下側成形部２ｃにおける係止部２ｉが係止し、凹部２ｈ内に支持面部２ｆが位置し、係止鍔部２ｇと被係止顎部２ｊが接触〜接近し、抜止鍔部２ｎと抜止顎部２ｍが接触〜接近した係合状態に接続されており、同接続関係に、下地１にビス等の固定具５で固定された吊子４の保持部４ａにより被係止突部２ｅを保持されて下地１側に固定されていることで敷設されている。
このような係合状態にある水下側の横葺屋根板２の水上側成形部２ｂと水上側の横葺屋根板２の水下側成形部２ｃは、係止部２ｉと被係止部２ｄによる係合部位と、凹部２ｈと支持面部２ｆによる係合部位との二重係合構造、係止顎部２ｇと被係止顎部２ｊによる抜止部位と、抜止鍔部２ｎと抜止顎部２ｍによる抜止部位との二重抜止構造を呈し、且つ、負圧作用時に凹部２ｈが支持面部２ｆに面接触して浮き上がりを抑えられる接続関係にしてある。
【図面の簡単な説明】
【００１２】
【図１】本発明の横葺屋根構造における実施の１形態を例示している縦断面図。
【図２】本発明の横葺屋根構造における実施の他の１形態を例示している縦断面図。
【図３】本発明の横葺屋根構造における実施の他の１形態を例示している縦断面図。
【図４】本発明の横葺屋根構造における実施の他の１形態を例示している縦断面図。
【符号の説明】
【００１３】
１  下地
２  横葺屋根板
２ａ  面板部
２ｂ  水上側成形部
２ｃ  水下側成形部
２ｄ  被係止部
２ｅ  被係止突部
２ｆ  支持面部
２ｇ  係止鍔部
２ｈ  凹部
２ｉ  係止部
２ｊ  被係止顎部
２ｋ  被抜止凹部
２ｎ  抜止鍔部
２ｍ  抜止顎部
３  断熱材
４  吊子
４ａ  保持部
５  固定具
【図１】
2007255047.tif 000003
【図２】
2007255047.tif 000004
【図３】
2007255047.tif 000005
【図４】
2007255047.tif 000006